(57)【要約】【課題】  ＩＣタグが付された特殊景品の買取処理にて検出された異常をＩＣタグのメモリ部に記録して情報交換する特殊景品買取システム、特殊景品払出装置、特殊景品買取装置、特殊景品検査装置を提供する。    【解決手段】  特殊景品払出装置１０は、ＩＣタグ３２、ビスカス３１が付された特殊景品３０の価値情報４１をＩＣタグ３２のメモリ部に暗号化して記録し、特殊景品買取装置２０は、遊技者８１が買取を依頼した特殊景品３０のＩＣタグ３２、ビスカス３１を読み取って買取可能かを判断し、異常が検出された場合、特殊景品検査装置５０にて解析可能なエラーコード４２１をエラーコード一覧１２１に基づいて暗号化してＩＣタグ３２のメモリ部に書込む。特殊景品検査装置５０は、返却された特殊景品３０のＩＣタグ３２を読み取ってエラーコード４２１の解析結果を表示し、特殊景品払出装置１０に再払出制御を行う。【選択図】  図１
2007136085.tif 000002
【特許請求の範囲】
【請求項１】
遊技店に配置され、該遊技店における遊技台の遊技により獲得した遊技媒体の数量に対応して特殊景品を払い出す特殊景品払出処理を行う特殊景品払出装置と、
前記特殊景品の買取場に設置され、前記特殊景品払出装置から払い出された前記特殊景品の買取処理を行う特殊景品買取装置と
を有する特殊景品買取システムにおいて、
前記特殊景品払出装置は、
前記遊技媒体の数量を入力あるいは前記遊技媒体の数量が書き込まれた記憶媒体を読み取る入力手段と、
前記入力手段による前記遊技媒体の数量に対応してメモリ部に所定の景品データが書き込まれた特殊景品を払い出す特殊景品払出手段と
を具備し、
前記特殊景品買取装置は、
前記特殊景品を受け付ける特殊景品受付手段と、
前記特殊景品受付手段で受け付けた特殊景品から前記景品データを読み取るとともに、該景品データに基づき該特殊景品の異常を判別した場合は、該特殊景品のメモリ部に異常情報を書き込む情報読取書込手段と、
前記情報読取書込手段で読み取った前記景品データに基づき前記買取処理を行う買取処理手段と、
前記情報読取書込手段により前記特殊景品のメモリ部に異常情報が書き込まれた場合は、異常を報知するとともに、該特殊景品の買取処理を中止して返却する異常処理手段と
を具備することを特徴とする特殊景品買取システム。
【請求項２】
前記情報読取書込手段は、
前記特殊景品の複数の異常を判別した場合は、該特殊景品のメモリ部に該複数の異常情報を書き込む
ことを特徴とする請求項１記載の特殊景品買取システム。
【請求項３】
前記景品データは、
前記特殊景品の発行日および金種コードを含む情報を第１の暗号処理により暗号化したデータであり、
前記異常情報は、
前記第１の暗号処理とは異なる第２の暗号処理により暗号化されたデータである
ことを特徴とする請求項１または２記載の特殊景品買取システム。
【請求項４】
前記特殊景品から前記異常情報を読み取り、該異常情報に対応した報知を行う特殊景品検査装置
を更に具備する
ことを特徴とする請求項１乃至３のいずれかに記載の特殊景品買取システム。
【請求項５】
前記特殊景品検査装置は、
前記特殊景品払出装置に接続され、
前記特殊景品払出装置は、
前記特殊景品検査装置で読み取られた前記異常情報の内容に応じて所定のパスワードの入力により該特殊景品を再発行する特殊景品再発行手段
を具備する
ことを特徴とする請求項４記載の特殊景品買取システム。
【請求項６】
前記特殊景品再発行手段は、
前記特殊景品の再発行に際して、該特殊景品の前記メモリ部に書き込まれている前記異常情報を消去する
ことを特徴とする請求項５記載の特殊景品買取システム。
【請求項７】
遊技店の特殊景品払出装置から払い出され、メモリ部に所定の景品データが書き込まれた特殊景品の買取処理を行う特殊景品買取装置において、
前記特殊景品を受け付ける特殊景品受付手段と、
前記特殊景品受付手段で受け付けた特殊景品から前記景品データを読み取るとともに、該景品データに基づき該特殊景品の異常を判別した場合は、該特殊景品のメモリ部に異常情報を書き込む情報読取書込手段と、
前記情報読取書込手段で読み取った前記景品データに基づき前記買取処理を行う買取処理手段と、
前記情報読取書込手段により前記特殊景品のメモリ部に異常情報が書き込まれた場合は、異常を報知するとともに、前記買取処理を中止して該特殊景品を返却する異常処理手段と
を具備することを特徴とする特殊景品買取装置。
【請求項８】
前記情報読取書込手段は、
前記特殊景品の複数の異常を判別した場合は、該特殊景品のメモリ部に該複数の異常情報を書き込む
ことを特徴とする請求項７記載の特殊景品買取装置。
【請求項９】
前記景品データは、
前記特殊景品の発行日および金種コードを含む情報を第１の暗号処理により暗号化したデータであり、
前記買取処理手段は、
前記景品データを前記第１の暗号処理に対応して復号化して前記買取処理を行い、
前記情報読取書込手段は、
前記第１の暗号処理とは異なる第２の暗号処理により暗号化された異常情報を前記特殊景品のメモリ部に書き込む
ことを特徴とする請求項７または８記載の特殊景品買取装置。
【請求項１０】
遊技店における遊技台の遊技により獲得した遊技媒体の数量に対応して特殊景品を払い出す特殊景品払出処理を行う特殊景品払出装置において、
前記遊技媒体の数量を入力あるいは前記遊技媒体の数量が書き込まれた記憶媒体を読み取る入力手段と、
前記入力手段による前記遊技媒体の数量に対応してメモリ部に所定の景品データが書き込まれたＩＣタグが埋め込まれた特殊景品を払い出す特殊景品払出手段と、
前記特殊景品の買取処理に際して前記特殊景品のメモリ部に書き込まれた異常情報の内容に応じて該特殊景品を再発行する特殊景品再発行手段と
を具備することを特徴とする特殊景品払出装置。
【請求項１１】
前記景品データは、
前記特殊景品の発行日および金種コードを含む情報を第１の暗号処理により暗号化したデータであり、
前記異常情報は、
前記第１の暗号処理とは異なる第２の暗号処理により暗号化されたデータであり、
前記特殊景品払出手段は、
前記第１の暗号処理により暗号化した景品データを前記メモリ部に書き込んだ特殊景品を払い出し、
前記特殊景品再発行手段は、
前記第２の暗号化処理に対応して復号化した異常情報に基づき該特殊景品の再発行を制御する
ことを特徴とする請求項１０記載の特殊景品払出装置。
【請求項１２】
前記特殊景品から前記異常情報を読み取り、該異常情報に対応した報知を行う特殊景品検査装置が接続され、
前記特殊景品再発行手段は、
前記特殊景品検査装置で読み出された前記異常情報の内容に応じて所定のパスワードの入力により該特殊景品を再発行する
ことを特徴とする請求項１０または１１記載の特殊景品払出装置。
【請求項１３】
メモリ部に所定の景品データが書き込まれた特殊景品の買取処理を前記景品データに基づき行う特殊景品買取装置で異常情報がメモリ部に書き込まれたＩＣタグが埋め込まれた特殊景品の検査を行う特殊景品検査装置であって、
前記特殊景品を受け付ける特殊景品受付手段と、
前記特殊景品受付手段で受け付けられた前記特殊景品から前記異常情報を読み取る読取手段と、
前記読取手段で読み取られた異常情報に基づき異常の判別を行う判別手段と、
前記判別手段による判別結果に対応して異常の報知を行う報知手段と
を具備することを特徴とする特殊景品検査装置。
【請求項１４】
前記景品データは、
前記特殊景品の発行日および金種コードを含む情報を第１の暗号処理により暗号化したデータであり、
前記異常情報は、
前記第１の暗号処理とは異なる第２の暗号処理により暗号化されたデータであり、
前記判別手段は、
前記第２の暗号処理により暗号化されたデータを復号化して前記異常の判別を行う
ことを特徴とする請求項１３記載の特殊景品検査装置。
【発明の詳細な説明】
【技術分野】
【０００１】
本発明は、遊技店における遊技台の遊技により獲得した遊技媒体の数量に対する所定の換金率にて払い出され、ＩＣタグが埋め込まれ、特殊な光学式識別コードが付与された特殊景品、および、この特殊景品を取り扱う特殊景品払出装置、特殊景品検査装置、特殊景品買取装置、さらには、これらの装置を有する特殊景品買取システムに関し、特に、特殊景品払出装置、特殊景品買取装置、特殊景品検査装置との間において、ＩＣタグのメモリ部を介して情報交換を行う技術に関する。
【背景技術】
【０００２】
パチンコ遊技店（以後、遊技店と称す）において、遊技者が遊技台を遊技して獲得した遊技媒体は、一般景品、あるいは特殊景品に交換される。
【０００３】
この特殊景品は、遊技店とは別の場所にある買取場にて買い取ってもらうことが可能な景品である。
【０００４】
この特殊景品買取場における買取処理において、特殊景品の偽造、不正防止対策を行う技術として、特許文献１に記載の「特殊景品交換システム」が公開されている。
【０００５】
また、買取処理では現金が取り扱われるので、買取金額の計算間違いを防止したり、防犯対策を行う技術として、特許文献２に記載の「景品計数省力化システム」が公開されている。
【特許文献１】特開平０９−２２０３４３号。
【特許文献２】特開２００４−２４４８９号。
【発明の開示】
【発明が解決しようとする課題】
【０００６】
上記特許文献に示すように、特殊景品は、その性質上、偽造、不正な取扱いに対する防止対策、安全対策として、ＩＣタグが埋め込まれたものを取り扱う遊技店、買取場が増えている。
【０００７】
さらに、特殊景品の買取場では、特殊景品買取金の計算を自動計算し、さらには、遊技者が独自の操作で買取処理を行う装置が設置されている。
【０００８】
しかし、これらの特殊景品の買取処理がＩＣタグに基づいて処理されることにより、ＩＣタグの破損や汚れによって、読み取りができず買取が拒否されるという問題が生じる。  この場合、遊技者は買取が拒否された特殊景品を、払出しが行われた遊技店に持ち帰って確認するしかない。
【０００９】
特殊景品を持ち込まれた遊技店側は、買取場に問い合せをする、あるいは、遊技店側の独自の判断にて同一価値を有した別の特殊景品に交換する等の対応が必要となる。
【００１０】
また、ＩＣタグのメモリ部に記録される情報が悪意のある第三者によって不正に書き換えが行われるなどの危険性を有する。
【００１１】
偽造された特殊景品が遊技店に持ち込まれた場合、偽造された特殊景品を、正規の特殊景品に交換してしまうといった損害を被る危険性がある。
【００１２】
また、遊技店は、買取が拒否された理由がわからず、特殊景品を取り替えるかいなかを適切に判断することが困難である。
【００１３】
よって、本発明は、特殊景品の払い出しを行う特殊景品払出装置、特殊景品の買取を行う買取場に設置された特殊景品買取装置との間において、異常が検出された特殊景品のＩＣタグのメモリ部を介して処理状況を相互に情報交換することができる特殊景品買取システム、特殊景品払出装置、特殊景品買取装置、特殊景品検査装置の提供を目的とする。
【課題を解決するための手段】
【００１４】
上記目的を達成するために、請求項１の発明は、遊技店に配置され、該遊技店における遊技台の遊技により獲得した遊技媒体の数量に対応して特殊景品を払い出す特殊景品払出処理を行う特殊景品払出装置と、特殊景品の買取場に設置され、特殊景品払出装置から払い出された特殊景品の買取処理を行う特殊景品買取装置とを有する特殊景品買取システムにおいて、特殊景品払出装置は、遊技媒体の数量を入力あるいは遊技媒体の数量が書き込まれた記憶媒体を読み取る入力手段と、入力手段による遊技媒体の数量に対応してメモリ部に所定の景品データが書き込まれた特殊景品を払い出す特殊景品払出手段とを具備し、特殊景品買取装置は、特殊景品を受け付ける特殊景品受付手段と、特殊景品受付手段で受け付けた特殊景品から景品データを読み取るとともに、該景品データに基づき該特殊景品の異常を判別した場合は、該特殊景品のメモリ部に異常情報を書き込む情報読取書込手段と、情報読取書込手段で読み取った景品データに基づき買取処理を行う買取処理手段と、情報読取書込手段により特殊景品のメモリ部に異常情報が書き込まれた場合は、異常を報知するとともに、該特殊景品の買取処理を中止して返却する異常処理手段とを具備することを特徴とする。
【００１５】
また、請求項２の発明は、請求項１の発明において、情報読取書込手段は、特殊景品の複数の異常を判別した場合は、該特殊景品のメモリ部に該複数の異常情報を書き込むことを特徴とする。
【００１６】
また、請求項３の発明は、請求項１または２の発明において、景品データは、特殊景品の発行日および金種コードを含む情報を第１の暗号処理により暗号化したデータであり、異常情報は、第１の暗号処理とは異なる第２の暗号処理により暗号化されたデータであることを特徴とする。
【００１７】
また、請求項４の発明は、請求項１乃至３のいずれかの発明において、特殊景品から異常情報を読み取り、該異常情報に対応した報知を行う特殊景品検査装置を更に具備することを特徴とする。
【００１８】
また、請求項５の発明は、請求項４の発明において、特殊景品検査装置は、特殊景品払出装置に接続され、特殊景品払出装置は、特殊景品検査装置で読み取られた異常情報の内容に応じて所定のパスワードの入力により該特殊景品を再発行する特殊景品再発行手段を具備することを特徴とする。
【００１９】
また、請求項６の発明は、請求項５の発明において、特殊景品再発行手段は、特殊景品の再発行に際して、該特殊景品のメモリ部に書き込まれている異常情報を消去することを特徴とする。
【００２０】
請求項７の発明は、遊技店の特殊景品払出装置から払い出され、メモリ部に所定の景品データが書き込まれた特殊景品の買取処理を行う特殊景品買取装置において、特殊景品受け付ける特殊景品受付手段と、特殊景品受付手段で受け付けた特殊景品から景品データを読み取るとともに、該景品データに基づき該特殊景品の異常を判別した場合は、該特殊景品のメモリ部に異常情報を書き込む情報読取書込手段と、情報読取書込手段で読み取った景品データに基づき買取処理を行う買取処理手段と、情報読取書込手段により特殊景品のメモリ部に異常情報が書き込まれた場合は、異常を報知するとともに、買取処理を中止して該特殊景品を返却する異常処理手段とを具備することを特徴とする。
【００２１】
また、請求項８の発明は、請求項７の発明において、情報読取書込手段は、特殊景品の複数の異常を判別した場合は、該特殊景品のメモリ部に該複数の異常情報を書き込むことを特徴とする。
【００２２】
また、請求項９の発明は、請求項７または８の発明において、景品データは、特殊景品の発行日および金種コードを含む情報を第１の暗号処理により暗号化したデータであり、買取処理手段は、景品データを第１の暗号処理に対応して復号化して買取処理を行い、情報読取書込手段は、第１の暗号処理とは異なる第２の暗号処理により暗号化された異常情報を特殊景品のメモリ部に書き込むことを特徴とする。
【００２３】
また、請求項１０の発明は、遊技店における遊技台の遊技により獲得した遊技媒体の数量に対応して特殊景品を払い出す特殊景品払出処理を行う特殊景品払出装置において、遊技媒体の数量を入力あるいは遊技媒体の数量が書き込まれた記憶媒体を読み取る入力手段と、入力手段による遊技媒体の数量に対応してメモリ部に所定の景品データが書き込まれたＩＣタグが埋め込まれた特殊景品を払い出す特殊景品払出手段と、特殊景品の買取処理に際して特殊景品のメモリ部に書き込まれた異常情報の内容に応じて該特殊景品を再発行する特殊景品再発行手段とを具備することを特徴とする。
【００２４】
また、請求項１１の発明は、請求項１０の発明において、景品データは、特殊景品の発行日および金種コードを含む情報を第１の暗号処理により暗号化したデータであり、異常情報は、第１の暗号処理とは異なる第２の暗号処理により暗号化されたデータであり、特殊景品払出手段は、第１の暗号処理により暗号化した景品データをメモリ部に書き込んだ特殊景品を払い出し、特殊景品再発行手段は、第２の暗号化処理に対応して復号化した異常情報に基づき該特殊景品の再発行を制御することを特徴とする。
【００２５】
また、請求項１２の発明は、請求項１０または１１の発明において、特殊景品から異常情報を読み取り、該異常情報に対応した報知を行う特殊景品検査装置が接続され、特殊景品再発行手段は、特殊景品検査装置で読み出された異常情報の内容に応じて所定のパスワードの入力により該特殊景品を再発行することを特徴とする。
【００２６】
また、請求項１３の発明は、メモリ部に所定の景品データが書き込まれた特殊景品の買取処理を景品データに基づき行う特殊景品買取装置で異常情報がメモリ部に書き込まれたＩＣタグが埋め込まれた特殊景品の検査を行う特殊景品検査装置であって、特殊景品を受け付ける特殊景品受付手段と、特殊景品受付手段で受け付けられた特殊景品から異常情報を読み取る読取手段と、読取手段で読み取られた異常情報に基づき異常の判別を行う判別手段と、判別手段による判別結果に対応して異常の報知を行う報知手段とを具備することを特徴とする。
【００２７】
また、請求項１４の発明は、請求項１３の発明において、景品データは、特殊景品の発行日および金種コードを含む情報を第１の暗号処理により暗号化したデータであり、異常情報は、第１の暗号処理とは異なる第２の暗号処理により暗号化されたデータであり、判別手段は、第２の暗号処理により暗号化されたデータを復号化して異常の判別を行うことを特徴とする。
【発明の効果】
【００２８】
本発明の特殊景品買取システム、特殊景品払出装置、特殊景品買取装置、特殊景品検査装置によれば、特殊景品買取装置による特殊景品の買取時に検出される異常情報を暗号化して特殊景品のＩＣタグに記録して返却し、特殊景品検査装置にてその内容を確認し、必要であれば、特殊景品払出装置に対して再払出制御を行うよう構成にしたので、特殊景品に対するクレーム確認、再払出処理を、遊技店係員は、適切かつ迅速に行うことができる。
【００２９】
また、景品データ（以後、「価値情報」と称す）、異常情報は、それぞれ個別に暗号化処理されＩＣタグのメモリ部に記録されるので、遊技店、買取場（以後特殊景品買取場）以外の第三者による価値情報、異常情報のデータ改竄による不正な買取金の搾取、正規特殊景品への不正な交換行為を防止することができる。
【発明を実施するための最良の形態】
【００３０】
本発明の特殊景品買取システム、特殊景品払出装置、特殊景品買取装置、特殊景品検査装置について添付図面を参照しながら説明する。
【００３１】
図１は、本発明の特殊景品払出装置１０、特殊景品買取装置２０、特殊景品検査装置５０を含む特殊景品買取システムの概念図である。  
図１において、特殊景品払出装置１０は遊技店８０に設置され、遊技台の遊技によって遊技者８１が獲得した遊技媒体（パチンコ玉、メダル）等を計数し、その計数結果と、遊技店８０が予め設定した交換率に基づいて特殊景品３０の払出しを行う。
【００３２】
遊技者８１は、遊技店８０にて払出しが行われた特殊景品３０を、遊技店８０とは別の特殊景品買取場８２に持ち込んで買い取ってもらい、買取金６４を受け取る。
【００３３】
この特殊景品３０には、図２に示すように、特殊景品３０の固有識別情報、価値を示す情報を、非接触の無線通信にてデータの読み書きを行うことが可能なメモリ部を有したＩＣタグ３２が埋め込まれている。
【００３４】
さらに、特殊景品３０は、機械的に認識するホログラムであり、専用の読み取り装置で読み取ることによって、偽造か否かを検出できる、偽造防止効果の高い識別片（以後、ビスカス３１と称す）が付与されている。
【００３５】
図１に戻り、特殊景品買取装置２０が特殊景品３０の買取処理を行う際は、このＩＣタグ３２のメモリ部、ビスカス３１を読み取り解析して、正規ルートで持ち込まれた景品であるか否かを判断する。
【００３６】
さらに、特殊景品買取装置２０は、異常特殊景品６５を検出した場合に、ＩＣタグ３２に対する書込みが可能な場合は、遊技店８０との間にて交換される交換情報８９に基づいて、検出した異常の内容を暗号化して書込みを行う。
【００３７】
本発明の特殊景品買取システムにおいては、特殊景品払出装置１０に特殊景品検査装置５０を接続して設け、異常特殊景品６５のビスカス３１、ＩＣタグ３２の読み取りを行い特殊景品３０の正当性、ＩＣタグ３２のメモリ部の内容を確認することができる。
【００３８】
これによって、遊技店８０が払出した特殊景品３０であるか、特殊景品買取装置２０にて買取処理が行われたか否かを機械的に処理して確認することができる。
【００３９】
特殊景品３０に埋め込まれるＩＣタグ３２のメモリ部には、例えば、図３に示す価値情報４１、異常情報４２が記録される。
【００４０】
価値情報４１は、ＩＣタグ３２の固有識別情報を記録する識別情報４１１、特殊景品３０の価値を示す景品コード４１２、特殊景品３０の払出しを行う遊技店８０を示す店コード４１３、特殊景品３０の価値の種類を示す金種コード４１４、特殊景品３０の払出を行なった日時を示す発行日時４１５、価値情報４１に記録された内容が間違いなく遊技店８０にて記録された情報であることを確認して証明するとともに、内容の改竄があるかを確認するための確認用情報４１６を有する。  
一方、異常情報４２は、特殊景品買取装置２０にて検出された異常の内容を、図４に示したエラーコード表１２１の定義に基づいて記録されるエラーコード４２１、異常情報４２が特殊景品買取装置２０にて書き込まれたことを証明するための確認用情報４２２を有する。
【００４１】
また、価値情報４１、異常情報４２は、それぞれ個別に暗号化処理が行われる。
【００４２】
ここでの暗号化方式は、ＤＥＳ暗号化方式等公知の暗号化技術を用いて処理される。
【００４３】
図５は、特殊景品買取システムの構成例を示すブロック図である。
【００４４】
遊技店８０において、特殊景品払出装置１０は、遊技店８０の景品カウンタ（図示せず）に設置され、遊技店８０の各種装置を一元管理する管理装置７０に対してネットワークを介して接続される。
【００４５】
また、管理装置７０は、遊技店８０に設置された遊技台８５の稼動データ、遊技店８０で取扱う特殊景品３０の景品コード、金種コード、店コードを含むコード情報、遊技店８０に会員登録された遊技者８１毎の遊技実績、貯玉、貯メダルの口座情報、各台の売上データ、景品払出の処理履歴を接続されたＤＢ７１に登録して管理する。
【００４６】
カード発行機８３、遊技媒体貸出装置８４、遊技媒体計数装置６０、遊技台８５を一定の台数単位で管理する管理装置７０に接続された島コントローラ（図示せず）に接続される。
【００４７】
カード発行機８３は、遊技媒体貸出装置８４が遊技者８１に遊技媒体６２の貸出を行うための遊技用カード６３を現金にて購入する装置である。
【００４８】
遊技者８１が遊技台８５の遊技にて獲得した遊技媒体６２は、遊技媒体計数装置６０にて計数され、計数結果を記録した計数レシート６１と交換される。
【００４９】
景品カウンタ（図示せず）においては、計数レシート６１に印刷されたバーコードを読み取り、計数された遊技媒体の数に応じた景品（一般景品、特殊景品３０）と交換される。ここで、特殊景品３０の払出しは、特殊景品払出装置１０にて行われる。
【００５０】
遊技者８１は、特殊景品３０の払出しを選択した場合、遊技店８０と提携した特殊景品買取場８２にて特殊景品３０の買取を依頼し、特殊景品買取場８２は、特殊景品買取装置２０を設置し、遊技者８１の操作にて特殊景品３０の買取処理を行う。
【００５１】
特殊景品買取装置２０は、記憶媒体８８の読み書きが可能な記憶媒体Ｒ／Ｗ２９を有し、遊技店８０にて取扱いが可能な特殊景品３０に埋め込まれたＩＣタグ３２の固有識別子の番号体系、暗号化複合化処理のための鍵情報、エラーコード表１２１、景品コード、提携先となる遊技店８０の店コードを含む交換情報８９を記憶媒体８８から記憶部２２にダウンロードする。
【００５２】
特殊景品買取装置２０は、個々の特殊景品３０のビスカス３１、ＩＣタグ３２の読み取りを行い、読み取りによって正規に払出が行われた特殊景品３０であるか否かを判定し、正規の特殊景品３０である場合は、特殊景品３０の種別毎に予め設定された買取単価に応じた買取金の払出しを行う。
【００５３】
また、一方、特殊景品３０の異常を検出した場合で、尚且つ、特殊景品３０のＩＣタグ３２のメモリ部に対する書込みが可能な場合は、異常検出の書込み処理を行う。
【００５４】
遊技者８１は、払出しを受けた遊技店８０に異常特殊景品６５を返却する。
【００５５】
遊技店係員は、特殊景品検査装置５０を用いて、返却された異常特殊景品６５のビスカス３１、ＩＣタグ３２の読み取りを行って特殊景品３０の状態を確認する。
【００５６】
ここで、ＩＣタグ３２に記録された価値情報４１、異常情報４２が読み取れた場合は、読み取り内容が特殊景品検査装置５０の表示部５３に表示されるので、遊技店係員は、その表示内容から、同一種類の特殊景品３０の再払出しが必要であるか否かを判断する。
【００５７】
再払い出しが可能であると判断した場合、遊技店係員は、パスワード入力による操作認証操作を経て、特殊景品払出装置１０に対して、特殊景品３０の再払出を行うための再払出し操作を行う。
【００５８】
次に、特殊景品払出装置１０についてさらに説明する。
【００５９】
図６は、特殊景品払出装置１０の制御構成を示すブロック図である。
【００６０】
図６において、特殊景品払出装置１０は、特殊景品払出装置１０全体を制御する特殊景品払出装置制御部１１に対し、記憶部１２、特殊景品搬送制御部１３、特殊景品検査装置接続部１４、ビスカス読取部１５、ＩＣタグＲ／Ｗ１６、バーコード読取部１７、通信制御部１８、操作表示部１９がそれぞれ接続された構成にて制御される。
【００６１】
記憶部１２には、エラーコード表１２１、払出履歴１２２、特殊景品交換率１２３、暗号鍵／復号鍵情報１２４を記憶する。
【００６２】
特殊景品搬送制御部１３は、払出対象となる特殊景品３０のうち、払出のために必要な処理がまだ行われていない特殊景品３０を、特殊景品３０のビスカス３１、ＩＣタグ３２の読み取りが可能な位置に誘導する搬送制御を行う。  また、ＩＣタグ３２の書込みが完了すると、特殊景品払出口（図示せず）までの搬送制御を行う。
【００６３】
ビスカス読取部１５は、払出しの対象となる特殊景品３０毎に付与されたビスカス３１の読み取り処理を行って、特殊景品３０の正当性をチェックし、読み取り内容を特殊景品払出装置制御部１１に出力する。
【００６４】
バーコード読取部１７は、図５のシステム構成図に示した遊技媒体計数装置６０にて発行された計数レシート６１に印字されたバーコードを読み取り、読み取ったバーコードの読み取りデータを特殊景品払出装置制御部１１に出力する。
【００６５】
特殊景品払出装置制御部１１は、バーコード情報を通信制御部１８を介して接続される管理装置７０に通知し、計数処理内容の問い合せを行う。
【００６６】
特殊景品検査装置接続部１４は、接続される特殊景品検査装置５０との間において、特殊景品３０の再発行を行うための制御コマンドの送受信、データ送受信を制御する。
【００６７】
図７は、払出履歴１２２の記録例を示した図であり、記録する情報として、景品コード、ビスカスコード、タグＩＤ、計数レシート番号、担当者ＩＤ、端末ＩＤ、払い出し日時、払出し明細番号を記録する。
【００６８】
景品コードは、払出しを行なった特殊景品３０の種別をコード化した情報であり、管理装置７０にて設定登録してＤＢ７１に記録して管理されるコード情報である。
【００６９】
ビスカスコードは、ビスカス読取部１５によって読み取られたビスカス３１の固有識別情報である。
【００７０】
計数レシート番号は、バーコード読取部１７にてバーコード読み取りが行なわれた計数レシート６１の発行番号が記録される。
【００７１】
担当者ＩＤは、特殊景品３０の払出し操作を行なった遊技店係員の登録コードが記録される。
【００７２】
端末ＩＤは、特殊景品３０の払出しを行なった特殊景品払出装置１０の端末識別情報であり、管理装置７０にて設定登録して管理される。
【００７３】
払出し日時は、特殊景品３０の払出しを行なった日付、時間の情報であり、特殊景品３０のＩＣタグ３２のメモリ部に記録される価値情報４１の発行日付と同じ情報が記録される。
【００７４】
払出し明細番号は、特殊景品３０の払出しが行なわれた処理単位毎に、遊技者８１に発行される控えの発行番号が記録される。
【００７５】
なお、払出履歴１２２の情報は、通信制御部１８を介して接続される管理装置７０に所定間隔で送信してＤＢ７１に蓄積して管理するようにしてもよい。
【００７６】
また、管理装置７０の記憶媒体Ｒ／Ｗ７２に記憶媒体８８に記録して、特殊景品買取装置２０側にダウンロードし、買取処理において、買取が指示された特殊景品３０との照合を行うようにしてもよい。
【００７７】
次に、特殊景品３０の払出処理の流れを図８のフローチャートに示して説明する。
【００７８】
特殊景品払出装置制御部１１は、バーコード読取部１７から計数レシート６１のバーコード読み取りデータを受信すると（Ｓ１０１）、計数レシート６１のバーコード読み取りデータを管理装置７０に通知して遊技媒体３４０の計数処理内容を問い合わせ、管理装置７０から応答される遊技媒体の数量と、特殊景品交換率１２３に基づいて、払出しを行う特殊景品３０の払出し個数を景品コード別に計算する（Ｓ１０２）。
【００７９】
特殊景品３０の種別毎の払出し個数が決定すると、特殊景品搬送制御部１３に対して、計算した数の特殊景品３０を特殊景品払出口（図示せず）に誘導する制御を開始する。
【００８０】
特殊景品払出装置制御部１１は、払出しが行われる各特殊景品３０に対し、ビスカス３１の読み取り処理（Ｓ１０３）、ＩＣタグ３２の価値情報４１の作成、遊技店８０による署名、暗号化処理を行い（Ｓ１０４）、作成した価値情報４１の書込み制御をＩＣタグＲ／Ｗ１６にて行い（Ｓ１０５）、異常情報４２の初期化をＩＣタグＲ／Ｗ１６にて行う（Ｓ１０６）。
【００８１】
ＩＣタグＲ／Ｗ１６から書込み完了が通知されると、特殊景品買取装置制御部１１は、ＩＣタグ３２に書き込んだ価値情報４１に関する情報を払出履歴１２２に登録する（Ｓ１０７）。
【００８２】
上記ステップ（Ｓ１０３）からステップ（Ｓ１０７）までの処理を、払出対象となる特殊景品３０がある間（Ｓ１０８ＹＥＳ）は、各特殊景品３０に対して繰り返し行う。
【００８３】
払出を行う全ての特殊景品３０に対してＩＣタグ３２の書込み、払出履歴１２２の記録が完了すると（Ｓ１０８ＮＯ）、特殊景品搬送制御部１３にて、特殊景品払出口（図示せず）まで、特殊景品３０を搬送する制御を行い（Ｓ１０９）、払出処理の内容を記録した特殊景品払出控え（図示せず）を発行する（Ｓ１１０）。
【００８４】
次に、特殊景品買取装置２０についてさらに説明する。
【００８５】
図９は、特殊景品買取装置２０の外観を概略的に示した図である。
【００８６】
図９において、特殊景品買取装置２０は、表示部２７、操作部２８、特殊景品投入口２８１、特殊景品返却口２８２、貨幣払出口２８３、硬貨払出口２８４を有する。
【００８７】
遊技者８１は、表示部２７に表示される遊技店８０名から特殊景品３０の払い出しをうけた遊技店８０を選択し、買取を依頼する特殊景品３０を、特殊景品投入口２８１より一つずつ投入し、ずべての特殊景品３０の投入が完了すると、清算ボタン（図示せず）を押下し、紙幣払出口２８３、硬貨払出口２９４に排出された買取金を受け取る。
【００８８】
また、特殊景品買取装置２０の内部には、投入された特殊景品３０のビスカス３１の読み取り、ＩＣタグ３２の読み取り、書込みを行う装置が設置され、投入された特殊景品３０の正当性チェック、ＩＣタグ３２の記録内容を確認する。
【００８９】
図１０は、特殊景品買取装置２０の制御構成を示すブロック図である。
【００９０】
特殊景品買取装置２０は、特殊景品買取装置制御部２１に、特殊景品収容返却部２３、ＩＣタグＲ／Ｗ２４、ビスカス読取部２５、貨幣払出し部２６、表示部２７、操作部２８、記憶媒体Ｒ／Ｗ２９、記憶部２２がそれぞれ接続した構成にて制御される。
【００９１】
特殊景品収容返却部２３は、遊技者８１が特殊景品投入口２８１から投入した特殊景品３０を、ＩＣタグＲ／Ｗ２４、ビスカス読取部２５にて読み取り可能な位置に誘導する搬送制御を行い、買取が確定した特殊景品３０に対しては、収容部（図示せず）に取り込む搬送制御を行い、一方、遊技者８１による取消しボタン（図示せず）、もしくは、ビスカス３１の読み取り、ＩＣタグ３２の読み取りによって、異常であることが判明した場合、特殊景品返却口２８２に異常特殊景品６５を誘導するための搬送制御を行う。
【００９２】
ＩＣタグＲ／Ｗ２４は、特殊景品３０のＩＣタグ３２のメモリ部に対するデータの書込み処理、データの読み取り処理を行う。
【００９３】
貨幣払出し部２６は、特殊景品買取装置制御部２１からの制御により、指定された金種の硬貨、紙幣を、硬貨払出口２８４、紙幣払出口２８３に払出を行う。
【００９４】
表示部２７は、特殊景品３０の買取処理に必要な遊技者８１の操作を誘導する各種操作画面、もしくは、検出したエラーを報知するエラー画面を出力する。
【００９５】
記憶媒体Ｒ／Ｗ２９は、特殊景品買取装置２０における買取処理にて、異常を検出した際のエラーコード４２１、提携した特殊景品３０の払い出しを行う遊技店８０の店コード、特殊景品３０の価値種別を示す景品コード、暗号化複合化処理に必要な鍵情報を含む交換情報８９を、遊技店８０との間にて記憶媒体８８を用いてやり取りするための記憶媒体読み書き装置である。
【００９６】
記憶部２２は、買取履歴２２１、エラーコード表１２１、特殊景品買取単価２２３、特殊景品取扱いコード表２２４、暗号化・復号化・認証用鍵情報２２５、異常検出履歴２２７を記憶する。
【００９７】
エラーコード表１２１は、特殊景品買取装置２０によって検出可能な異常を図４に示した形式に示した該当するビットを有効にして表現するための定義情報であり、記憶媒体Ｒ／Ｗ２９にて、遊技店８０の管理装置７０から提供される記憶媒体８８に記録された交換情報８９からロードされた情報である。
【００９８】
なお、エラーコード表１２１は、特殊景品買取装置２０が対応する遊技店８０が複数ある場合は、その遊技店８０毎のエラーコード表１２１を記憶部２２に記憶して管理し、買取を行う特殊景品３０を取り扱う各遊技店８０に対応したエラーコード１２１をそれぞれ記録する。
【００９９】
買取履歴２２１は、例えば、図１１に示すように、店コード、景品コード、ビスカスコード、タグＩＤ、買取日時を記録する。
【０１００】
店コードは、特殊景品３０の払出しを行なった遊技店８０の識別情報である。
【０１０１】
景品コードは、買取を行なった特殊景品３０の価値（金種）の種類を判別する識別情報である。
【０１０２】
ビスカスコードは、特殊景品挿入口２８１に投入された特殊景品３０のビスカス３１をビスカス読取部２５が読み取った、ビスカス３１の固有識別情報である。
【０１０３】
タグＩＤは、ＩＣタグ３２のメモリ部に記憶された固有識別情報であり、特殊景品３０が投入された際にＩＣタグＲ／Ｗ２４にて読み取られた情報である。
【０１０４】
買取日時は、買取が成立して買取金の払出しが行なわれた日時が記録される。
【０１０５】
買取履歴２２１を記録することにより、ビスカスコード、タグＩＤの組み合わせに対する重複買取を事前にチェックし、買取済みか否かの問い合せに対しては、買取履歴２２１を検索することによって、買取済みか否かを確認することができる。
【０１０６】
なお、買取履歴２２１は、買取が正常に成立した特殊景品３０に対してのみ記録するようにしたが、特殊景品投入口２８１に投入された特殊景品３０全てに対して、投入検出記録として履歴を記録するようにしてもよい。
【０１０７】
図１２は、特殊景品買取単価２２３のデータ設定例を示す図であり、ＩＣタグ３２の価値情報４１に記録された店コード、金種コードに基づいて、買取単価を特定するための情報である。
【０１０８】
なお、店コード、金種コードは、記憶媒体Ｒ／Ｗ２９による記憶媒体８８の交換情報８９の読取処理によって、記憶部２２にダウンロードされる情報である。
【０１０９】
また、買取設定単価２２３は、特殊景品買取装置２０の操作部２８における設定変更操作によって適宜設定単価の変更、追加、削除が可能である。
【０１１０】
異常検出履歴２２７に記録される情報は、例えば、図１３に示すように、店コード、景品コード、ビスカスコード、タグＩＤ、エラー情報、検出日時が記録される。
【０１１１】
ここで、店コード、景品コード、ビスカスコード、タグＩＤは、買取履歴２２１と同一の記録情報であるが、ビスカスコード、ＩＣタグ３２のメモリ部に記録されるタグＩＤ、景品コードは、読み取りエラーとなる場合は、ブランク、もしくは、読み取り不可を示す情報を記録する。
【０１１２】
次に、特殊景品買取装置２０における買取処理の動作を、図１４のフローチャートに示して説明する。
【０１１３】
特殊景品買取装置制御部２１は、買取処理の操作開始画面として、買い取り対象となる特殊景品３０の払出しを行なった遊技店８０の選択確認画面（図１５の（Ａ））を表示し、遊技者８１に対して特殊景品３０を受け取った遊技店８０の選択操作を促し（Ｓ２０１）、遊技店８０の選択操作を監視する（Ｓ２０２ＮＯ）。
【０１１４】
特殊景品３０の払出し遊技店８０が選択されると（Ｓ２０２ＹＥＳ）、特殊景品買取装置制御部２１は、特殊景品３０の投入操作を指示する画面（図１５の（Ｂ））に画面の表示切り替え制御を表示部２７に対して行い、特殊景品投入口２８１を開放して遊技者８１による特殊景品３０の投入が可能な状態にし、投入操作を監視する（Ｓ２０３ＮＯ、Ｓ２１１ＮＯ、Ｓ２１２ＮＯ）。
【０１１５】
特殊景品３０の投入操作が検出されると（Ｓ２０３ＹＥＳ）、特殊景品買取装置制御部２１は、ビスカス３１の読み取り処理を行う（Ｓ２０４）。
【０１１６】
ビスカス３１が破損、傷等によって読み取り処理がエラーとなった場合（Ｓ２０５ＹＥＳ）、特殊景品買取装置制御部２１は、その旨を異常検出履歴２２７に記録し（Ｓ２２１）、処理を中止して、係員呼び出しモードに遷移する（Ｓ２２２）。
【０１１７】
ビスカス３１が読み取れた場合（Ｓ２０５ＮＯ）、読みとったビスカスコードを一時的に記憶部２２に記録し、次に、ＩＣタグ３２のメモリ部の読み取りを行なって、価値情報４１を復号化して解析可能な平文化を行う（Ｓ２０６）。
【０１１８】
このとき、ＩＣタグ３２の読み取りができない場合は（Ｓ２０７ＹＥＳ）、異常検出履歴２２７にその旨記録し（Ｓ２２１）、係員呼び出しモードに遷移する（Ｓ２２２）。
【０１１９】
ＩＣタグ３２の価値情報４１の復号化処理に成功した場合（Ｓ２０７ＮＯ）、ステップ（Ｓ２０４）にて読み取りを行なったビスカスコードとステップ（Ｓ２０６）にて読み取ったＩＣタグ３２の価値情報４１との照合、解析を行なって異常の有無を判断する（Ｓ２０８）。
【０１２０】
価値情報４１の異常を検出した場合（Ｓ２０９ＹＥＳ）、検出した異常の内容に対応するエラーコード４２１のビットを有効にし、特殊景品買取装置２０による署名、暗号化を行なってＩＣタグ３２のメモリ部に異常情報４２の書き込みを行う（Ｓ２１６）。
【０１２１】
一方、特殊景品３０に対する異常が検出されない場合（Ｓ２０９ＮＯ）、特殊景品買取装置制御部２１は、価値情報４１から読みとった、景品コード、店コード、景品コードと、特殊景品買い取り設定単価２２３に基づいて特定した買取単価を買取総額に加算し、加算結果を報知する画面を表示部２７に表示（図１５の（Ｃ））する（Ｓ２１０）。
【０１２２】
ここで、ステップＳ２０２による、遊技店８０の選択操作を行った後に、特殊景品３０投入を検知すると（Ｓ２０３ＹＥＳ）、取消しボタン（図示せず）が押下された場合（Ｓ２１１ＹＥＳ）、特殊景品買取装置制御部２１は、投入された特殊景品３０を全て特殊景品返却口２８２に誘導して（Ｓ２１５）買取処理を中止し、操作開始画面（図１５の（Ａ））を表示する（Ｓ２０１）。
【０１２３】
特殊景品３０の投入が完了して、遊技者８１によって清算ボタン（図示せず）が押下されると（Ｓ２１２ＹＥＳ）、特殊景品買取装置制御部２１は、計算した買取金６４に相当する硬貨、紙幣の払出し数を金種別に計算し、貨幣の払出処理を行う（Ｓ２１３）。
【０１２４】
遊技者８１に対する貨幣の払出しが完了すると、買取履歴２２１に、買取処理を行なった特殊景品３０の情報を記録する（Ｓ２１４）。
【０１２５】
再度、ステップ（Ｓ２１６）に戻り、ＩＣタグ３２の書込み処理が成功した場合（Ｓ２１７ＹＥＳ）、特殊景品買取装置制御部２１は、表示部２７に検出した異常の内容を表示（図１５の（Ｄ））し（Ｓ２１８）、異常が検出された特殊景品３０を返却口に排出し（Ｓ２１９）異常検出履歴２２７を記録し（Ｓ２２０）、他の特殊景品３０の投入操作、買取中止ボタン（図示せず）の押下、清算ボタン（図示せず）押下のいずれかの操作を監視する。
【０１２６】
再度、ステップＳ２１７の判定処理に戻り、ＩＣタグ３２の書込みに失敗した場合（Ｓ２１７ＮＯ）、特殊景品買取装置制御部２１は、異常検出履歴２２７にＩＣタグ３２の書込みエラーを示す情報を記録し（Ｓ２２１）、係員呼び出しモードに遷移する（Ｓ２２２）。
【０１２７】
係員呼び出しモードに移行した後、係員による復旧操作が完了すると（Ｓ２２３ＹＥＳ）、特殊景品買取装置制御部２１は、初期画面を表示部２７に表示して買取処理を再開する。
【０１２８】
なお、特殊景品買取装置２０は、複数の特殊景品３０に付与されたビスカス３１が同時もしくは連続して読み取りが行なえる場合であれば、複数重ねる等して装置に投入する買取操作にしてもよい。
【０１２９】
次に、特殊景品検査装置５０についてさらに説明する。
【０１３０】
図１６は、特殊景品検査装置５０の外観を概略的に示した図である。
【０１３１】
図１６において、特殊景品検査装置５０は、検査対象となる特殊景品３０を一つずづ検査特殊景品セット部５９にセットし、ＩＣタグ３２のメモリ部を個別に読みとって、特殊景品３０の正当性チェック、ＩＣタグ３２のメモリ部に記録された、価値情報４１、異常情報４２を解析し、解析結果を表示部５３に表示する。
【０１３２】
ＩＣタグ３２のメモリ部が読み取れない場合は、その旨を表示部５３に表示する。
【０１３３】
検査特殊景品セット部５９の近傍においては、セットされた特殊景品３０に埋め込まれたＩＣタグ３２のメモリ部の読み取りがＩＣタグＲ／Ｗ５７によって行なわれる。
【０１３４】
操作部５４は、特殊景品３０の検査開始を指示する検査開始ボタン（図示せず）、再払出ボタン（図示せず）、さらに、再払出処理の操作認証に必要となるＩＤ、パスワード入力を行うためのテンキー（図示せず）を有する。
【０１３５】
また、特殊景品検査装置２０の制御構成は、図１７に示すように、特殊景品検査装置制御部５１に、記憶部５２、特殊景品買取装置接続部５５、ビスカス読取部５６、ＩＣタグＲ／Ｗ５７、通信制御部５８、操作部５４、表示部５３が接続された構成にて制御される。
【０１３６】
記憶部５２は、エラーコード表１２１、再払出履歴５２１を記憶する。
【０１３７】
エラーコード表１２１は、特殊景品払出装置１０、特殊景買取装置２０同様に、図４に示すエラーコード４２１をビット解析するためのエラー定義情報であり、ＩＣタグＲ／Ｗ５７で読み取った異常情報４２の解析処理にて参照される情報である。
【０１３８】
再払出履歴５２１は、特殊景品３０の再払出しを行なった場合の景品コード、ビスカスコード、タグＩＤ、端末ＩＤ、担当者ＩＤ、払出し日時を記録する。
【０１３９】
図１８は、特殊景品検査処理の動作例を示すフローチャートである。
【０１４０】
特殊景品３０が、検査特殊景品セット部５９にセットされ、検査開始ボタン（図示せず）の押下を検出すると、特殊景品検査装置制御部５１は、ＩＣタグＲ／Ｗ５７に対してＩＣタグ３２の読み取り制御を行う（Ｓ３０１）。
【０１４１】
ＩＣタグ３２の読み取りエラーあるいは、読み取った価値情報４１の復号化処理による平文化に失敗した場合（Ｓ３０２ＮＯ）、ＩＣタグ３２のメモリ部の読み取りエラーを報知する画面（図１９の（Ｅ））を表示部５３に表示する（Ｓ３０４）。
【０１４２】
復号処理を行って価値情報４１の平文化に成功した場合は（Ｓ３０２ＹＥＳ）、自遊技店８０の特殊景品払出装置１０にて記録した情報であるか、改竄されていないかをチェックする（Ｓ３０３）。
【０１４３】
価値情報４１が不正であると判断した場合（Ｓ３０５ＮＯ）、価値情報４１のエラーを報知する画面（図１９の（Ｆ））を表示部５３に表示する（Ｓ３０６）。
【０１４４】
価値情報４１が自遊技店８０の特殊景品払出装置１０にて記録した正規の情報であると判断した場合（Ｓ３０５ＹＥＳ）異常情報４２の復号化を行なってエラーコード４２１のビット解析を行う（Ｓ３０７）。
【０１４５】
エラーコード４２１のビット解析を行なった結果、エラーコード４２１に異常の内容が記録されていない場合（Ｓ３０７ＮＯ）、正常な特殊景品３０であることを報知する判定結果画面（図示せず）を表示部５３に表示する（Ｓ３０８）。
【０１４６】
一方、ビット解析の結果有効になっているエラービットがある場合（Ｓ３０７ＹＥＳ）、その有効ビットに対応するエラー内容を、エラーコード表１２１に基づいて解析し、解析結果を報知する画面（図１９の（Ａ））を表示部５３に表示する（Ｓ３０９）。
【０１４７】
遊技店係員が特殊景品３０の再払出しを行う操作部５４からの操作を検出した場合（Ｓ３１０ＹＥＳ）、再払出操作の認証を行うための担当者ＩＤ、パスワードの入力操作を指示する画面（図１９の（Ｂ））を表示部５３に表示する（Ｓ３１１）。
【０１４８】
パスワードが入力されると、特殊景品検査装置制御部５１は、入力情報を通信制御部５８を介して管理装置７０に送信し、係員の操作認証処理を行う（Ｓ３１２）。
【０１４９】
管理装置７０によって特殊景品３０の再払出操作が許可された場合（Ｓ３１２ＹＥＳ）、特殊景品検査装置制御部５１は、金種情報が読み取れたか否かを判断する（Ｓ３１３）。
【０１５０】
金種情報が読み取れた場合（Ｓ３１３ＹＥＳ）、特殊景品検査装置制御部５１は、読み取った金種の特殊景品の払出を行い（Ｓ３１７）、再払出履歴を登録する（Ｓ３１８）。  一方、金種情報が読み取れなかった場合（Ｓ３１３ＮＯ）、特殊景品検査装置制御部５１は、再払出を行う特殊景品３０の金種の選択を行う画面（図１９の（Ｃ））を表示部５３に表示する（Ｓ３１５）。
【０１５１】
再払出しを行う特殊景品３０の金種選択操作を検出すると（Ｓ３１６ＹＥＳ）、特殊景品検査装置制御部５１は、指定された金種に対応する特殊景品３０の払出し指示を行う制御データを、特殊景品払出装置接続部５５を介して特殊景品払出装置１０に出力する（Ｓ３１７）。
【０１５２】
特殊景品払出装置１０から、特殊景品３０の払い出し完了を通知する応答データを特殊景品払出装置接続部５５を介して受信すると、応答データとして通知される再払出しが行なわれた特殊景品３０の価値情報４１を解析して再払出履歴５２１を記録する（Ｓ３１８）。このとき払出完了を報知する画面（図１９の（Ｄ））を表示部５３に表示する。
【０１５３】
パスワード認証が失敗した場合は、パスワード入力エラーを報知する画面（図示せず）を表示部５３に表示して検査処理を終了する。
【０１５４】
また、金種選択画面にて金種選択が無い場合（Ｓ３１６ＮＯ）も、再払出処理を中止して検査処理を終了する。
【０１５５】
なお、本実施例に示した特殊景品検査装置５０は、検査対象となる特殊景品３０をひとつずつ検査する構成を示したが、複数の特殊景品３０を同時に検査するように、特殊景品３０のセットを行う部分と、そのセットした態様に応じて、それぞれのＩＣタグ３２が一回の検査操作で読み取れる構成にし、特殊景品３０それぞれの状態を画面に同時に表示するようにして遊技店係員が効率よく確認できるようにしてもよい。
【０１５６】
また、検査対象の特殊景品３０の状態として例えばビスカス３１が正常であり、ＩＣタグ３２のメモリ部の書き直しによって再利用が可能な場合は、検査対象の特殊景品３０のＩＣタグ３２のメモリ部に書込み処理を行う再払出処理にしてもよい。
【０１５７】
なお、再払出処理を行う場合、メモリ内部の異常情報４２をクリアする。
【産業上の利用可能性】
【０１５８】
本発明の特殊景品買取システム、特殊景品払出装置、特殊景品買取装置、特殊景品検査装置は、ＩＣタグが埋め込まれた特殊景品を取り扱う遊技店における特殊景品の払出処理、特殊景品の買取処理に利用可能であり、特に、特殊景品の偽造防止対策、買取処理における買取金額の計算ミスの防止、安全対策、特殊景品のクレーム対応の円滑化に有効である。
【図面の簡単な説明】
【０１５９】
【図１】特殊景品買取システムの概念図。
【図２】ＩＣタグ、ビスカスを有する特殊景品の概略図。
【図３】特殊景品のＩＣタグに記録する価値情報、異常情報の例を示す図。
【図４】異常情報に記録されるエラーコードの例を示す図。
【図５】特殊景品買取システムの構成例を示すブロック図。
【図６】特殊景品払出装置の制御構成を示すブロック図。
【図７】払出履歴の記録例を示す図。
【図８】特殊景品払出処理の動作例を示すフローチャート。
【図９】特殊景品買取装置の外観を概略的に示す図。
【図１０】特殊景品買取装置の制御構成を示すブロック図。
【図１１】買取履歴の記録例を示す図。
【図１２】特殊景品の買取単価のデータ設定例を示す図。
【図１３】異常景品検出履歴の記録例を示す図。
【図１４】特殊景品買取処理の動作例を示すフローチャート。
【図１５】特殊景品買取処理において、特殊景品買取装置の表示部に表示される操作画面の例を示す図。
【図１６】特殊景品検査装置の外観を概略的に示す図。
【図１７】特殊景品検査装置の制御構成の例を示すブロック図。
【図１８】特殊景品検査処理の動作例を示すフローチャート。
【図１９】特殊景品検査処理において、特殊景品検査装置の表示部に表示される各種操作画面、エラー画面の例を示す図。
【符号の説明】
【０１６０】
１０    特殊景品払出装置
１１    特殊景品払出装置制御部
１２    記憶部（特殊景品払出装置）
１２１  エラーコード表
１２２  払出履歴
１２３  特殊景品交換率
１２４  暗号鍵／復号鍵情報
１３    特殊景品搬送制御部
１４    特殊景品検査装置接続部
１５    ビスカス読取部
１６    ＩＣタグＲ／Ｗ
１７    バーコード読取部
１８    通信制御部
１９    操作表示部
２０    特殊景品買取装置
２１    特殊景品買取装置制御部
２２    記憶部（特殊景品買取装置）
２２１  買取履歴
２２３  特殊景品買取単価
２２４  特殊景品取扱い店コード一覧
２２５  暗号化・復号化・認証用鍵情報
２２７  異常検出履歴
２３    特殊景品収容返却部
２４    ＩＣタグＲ／Ｗ
２５    ビスカス読取部
２６    特殊景品払出部
２７    表示部        
２８    操作部
２８１  特殊景品投入口
２８２  特殊景品返却口
２８３  紙幣払出口
２８４  硬貨払出口
２９    記憶媒体Ｒ／Ｗ
３０    特殊景品
３１    ビスカス
３２    ＩＣタグ
５０    特殊景品検査装置
５１    特殊景品検査装置制御部
５２    記憶部（特殊景品検査装置）
５２１  再払出履歴
５３    表示部
５４    操作部
５５    特殊景品払出装置接続部
５７    ＩＣタグＲ／Ｗ
５８    通信制御部
５９    検査特殊景品セット部
６０    遊技媒体計数装置
６１    計数レシート
６２    遊技媒体
６３    遊技用カード
６４    買取金
６５    異常特殊景品  
４１  価値情報
４１１  タグ識別情報
４１２  景品コード
４１３  店コード
４１４  金種コード
４１５  発行日時
４１６  確認用情報
４２  異常情報
４２１  エラーコード
４２２  確認用情報
７０    管理装置
７１    ＤＢ（データベース）
７２    記憶媒体Ｒ／Ｗ
８０    遊技店
８１    遊技者
８２    特殊景品買取場
８３    遊技用カード発行機
８４    遊技媒体貸出装置
８５    遊技台
８６    遊技媒体計数装機
８８    記憶媒体
８９    交換情報
【図１】
2007136085.tif 000003
【図２】
2007136085.tif 000004
【図３】
2007136085.tif 000005
【図４】
2007136085.tif 000006
【図５】
2007136085.tif 000007
【図６】
2007136085.tif 000008
【図７】
2007136085.tif 000009
【図８】
2007136085.tif 000010
【図９】
2007136085.tif 000011
【図１０】
2007136085.tif 000012
【図１１】
2007136085.tif 000013
【図１２】
2007136085.tif 000014
【図１３】
2007136085.tif 000015
【図１４】
2007136085.tif 000016
【図１５】
2007136085.tif 000017
【図１６】
2007136085.tif 000018
【図１７】
2007136085.tif 000019
【図１８】
2007136085.tif 000020
【図１９】
2007136085.tif 000021